(57)【要約】  操作デバイスに対応付けられる識別情報の把握がより容易になる発光制御装置、操作デバイス、発光制御方法及びプログラムを提供する。識別情報特定部（６０）は、操作デバイスに対応付けられる識別情報を特定する。特定発光領域特定部（６２ａ）は、操作デバイスに設定された発光領域のうちの、識別情報に応じた一部である特定発光領域を特定する。発光制御部（６４）は、識別情報に応じた色及び特定発光領域が認識可能となるよう発光領域の少なくとも一部を発光させる。
2020116345.tif 000002
【特許請求の範囲】
【請求項１】
発光部を備える操作デバイスから当該操作デバイスの識別情報を受信する通信部と、
前記操作デバイスの識別情報とユーザ識別情報とを関連付ける制御部と、を含み、
前記ユーザ識別情報は、少なくとも前記発光部に対する発光色、及び、発光させる領域を示す情報を含み、
前記通信部は、前記ユーザ識別情報を前記操作デバイスに対して送信する、
ことを特徴とするエンタテインメント装置。
【請求項２】
操作デバイスに対応付けられる識別情報を特定する識別情報特定部と、
前記操作デバイスに設定された発光領域のうちの、前記識別情報に応じた一部である特定発光領域を特定する特定発光領域特定部と、
前記識別情報に応じた色及び前記特定発光領域が認識可能となるよう前記発光領域の少なくとも一部を発光させる発光制御部と、
を含むことを特徴とする発光制御装置。
【請求項３】
前記発光領域は、複数の部分発光領域を含み、
前記発光制御部は、前記特定発光領域に対応付けられる少なくとも１つの前記部分発光領域を発光させる、
ことを特徴とする請求項２に記載の発光制御装置。
【請求項４】
前記部分発光領域のそれぞれは、前記発光領域の境界線に沿って配置されている、
ことを特徴とする請求項３に記載の発光制御装置。
【請求項５】
前記発光制御部は、前記特定発光領域に対応付けられる少なくとも１つの前記部分発光領域を、前記識別情報に応じた色で発光させる、
ことを特徴とする請求項３又は４に記載の発光制御装置。
【請求項６】
前記発光制御部は、前記識別情報に応じた数の前記部分発光領域を、前記識別情報に応じた色で発光させる、
ことを特徴とする請求項５に記載の発光制御装置。
【請求項７】
前記識別情報ごとに、当該識別情報に対応した発光色を特定する色特定部、をさらに含む、
ことを特徴とする請求項２に記載の発光制御装置。
【請求項８】
前記識別情報ごとに、当該識別情報に対応した発光パターンを特定する発光表現特定部、をさらに含む、
ことを特徴とする請求項２に記載の発光制御装置。
【請求項９】
前記発光領域は、複数の部分発光領域を含み、
前記発光表現特定部は、どの前記部分発光領域を発光させるかを特定する、
ことを特徴とする請求項８に記載の発光制御装置。
【請求項１０】
前記発光領域は、第１発光領域と第２発光領域とを含み、
前記特定発光領域特定部は、前記第１発光領域のうちの、前記識別情報に応じた一部である前記特定発光領域を特定し、
前記発光制御部は、前記特定発光領域が認識可能となるよう前記識別情報によらない共通の色で前記第１発光領域の少なくとも一部を発光させ、
前記発光制御部は、前記識別情報に応じた色で前記第２発光領域の少なくとも一部を発光させる、
ことを特徴とする請求項２に記載の発光制御装置。
【請求項１１】
前記特定発光領域特定部は、前記識別情報に応じた長さの前記特定発光領域を特定する、
ことを特徴とする請求項２から１０のいずれか一項に記載の発光制御装置。
【請求項１２】
前記特定発光領域特定部は、前記識別情報に応じた面積の前記特定発光領域を特定する、
ことを特徴とする請求項２から１１のいずれか一項に記載の発光制御装置。
【請求項１３】
前記特定発光領域特定部は、前記発光制御装置に接続された前記操作デバイスの数に応じた面積の前記特定発光領域を特定する、
ことを特徴とする請求項２から１２のいずれか一項に記載の発光制御装置。
【請求項１４】
前記発光制御部に、前記発光領域の全部を１つの色で発光させるか、前記発光領域のうちの一部である前記特定発光領域と当該特定発光領域以外の領域とを識別可能に前記発光領域の少なくとも一部を発光させるか、を変更する設定変更部、をさらに含む、
ことを特徴とする請求項２から１３のいずれか一項に記載の発光制御装置。
【請求項１５】
前記操作デバイスを操作するユーザに関する情報、及び、前記操作デバイスの発光が表現された情報が配置された画面を表示部に表示させる表示制御部、をさらに含む、
ことを特徴とする請求項２から１４のいずれか一項に記載の発光制御装置。
【請求項１６】
前記識別情報は、色を示す情報、又は、番号である、
ことを特徴とする請求項２から１５のいずれか一項に記載の発光制御装置。
【請求項１７】
操作デバイスに対応付けられる識別情報を特定する識別情報特定部と、
前記操作デバイスに設定された発光領域のうちの一部である、前記識別情報に応じた長さの特定発光領域を特定する特定発光領域特定部と、
前記特定発光領域が認識可能となるよう前記発光領域の少なくとも一部を発光させる発光制御部と、
を含むことを特徴とする発光制御装置。
【請求項１８】
操作デバイスに対応付けられる識別情報を特定する識別情報特定部と、
前記操作デバイスに設定された発光領域のうちの一部である、前記識別情報に応じた面積の特定発光領域を特定する特定発光領域特定部と、
前記特定発光領域が認識可能となるよう前記発光領域の少なくとも一部を発光させる発光制御部と、
を含むことを特徴とする発光制御装置。
【請求項１９】
操作デバイスであって、
前記操作デバイスに対応付けられる識別情報を特定する識別情報特定部と、前記操作デバイスに設定された発光領域のうちの、前記識別情報に応じた一部である特定発光領域を特定する特定発光領域特定部と、前記識別情報に応じた色及び前記特定発光領域が認識可能となるよう前記発光領域の少なくとも一部を発光させる発光制御部と、を含む発光制御装置から、前記発光領域の少なくとも一部を発光させる制御信号を受け付ける制御信号受付部と、
前記制御信号の受付に応じて、前記操作デバイスに対応付けられる識別情報に応じた色、及び、当該識別情報に応じた前記発光領域のうちの一部である特定発光領域が認識可能となるよう発光する発光部と、
を含むことを特徴とする操作デバイス。
【請求項２０】
操作デバイスであって、
前記操作デバイスに対応付けられる識別情報を特定する識別情報特定部と、前記操作デバイスに設定された発光領域のうちの一部である、前記識別情報に応じた長さの特定発光領域を特定する特定発光領域特定部と、前記特定発光領域が認識可能となるよう前記発光領域の少なくとも一部を発光させる発光制御部と、を含む発光制御装置から、前記発光領域の少なくとも一部を発光させる制御信号を受け付ける制御信号受付部と、
前記制御信号の受付に応じて、前記特定発光領域が認識可能となるよう発光する発光部と、
を含むことを特徴とする操作デバイス。
【請求項２１】
操作デバイスであって、
前記操作デバイスに対応付けられる識別情報を特定する識別情報特定部と、前記操作デバイスに設定された発光領域のうちの一部である、前記識別情報に応じた面積の特定発光領域を特定する特定発光領域特定部と、前記特定発光領域が認識可能となるよう前記発光領域の少なくとも一部を発光させる発光制御部と、を含む発光制御装置から、前記発光領域の少なくとも一部を発光させる制御信号を受け付ける制御信号受付部と、
前記制御信号の受付に応じて、前記特定発光領域が認識可能となるよう発光する発光部と、
を含むことを特徴とする操作デバイス。
【請求項２２】
操作デバイスに対応付けられる識別情報を特定するステップと、
前記操作デバイスに設定された発光領域のうちの、前記識別情報に応じた一部である特定発光領域を特定するステップと、
前記識別情報に応じた色及び前記特定発光領域が認識可能となるよう前記発光領域の少なくとも一部を発光させるステップと、
を含むことを特徴とする発光制御方法。
【請求項２３】
操作デバイスに対応付けられる識別情報を特定するステップと、
前記操作デバイスに設定された発光領域のうちの一部である、前記識別情報に応じた長さの特定発光領域を特定するステップと、
前記特定発光領域が認識可能となるよう前記発光領域の少なくとも一部を発光させるステップと、
を含むことを特徴とする発光制御方法。
【請求項２４】
操作デバイスに対応付けられる識別情報を特定するステップと、
前記操作デバイスに設定された発光領域のうちの一部である、前記識別情報に応じた面積の特定発光領域を特定するステップと、
前記特定発光領域が認識可能となるよう前記発光領域の少なくとも一部を発光させるステップと、
を含むことを特徴とする発光制御方法。
【請求項２５】
操作デバイスに対応付けられる識別情報を特定する手順、
前記操作デバイスに設定された発光領域のうちの、前記識別情報に応じた一部である特定発光領域を特定する手順、
前記識別情報に応じた色及び前記特定発光領域が認識可能となるよう前記発光領域の少なくとも一部を発光させる手順、
をコンピュータに実行させることを特徴とするプログラム。
【請求項２６】
操作デバイスに対応付けられる識別情報を特定する手順、
前記操作デバイスに設定された発光領域のうちの一部である、前記識別情報に応じた長さの特定発光領域を特定する手順、
前記特定発光領域が認識可能となるよう前記発光領域の少なくとも一部を発光させる手順、
をコンピュータに実行させることを特徴とするプログラム。
【請求項２７】
操作デバイスに対応付けられる識別情報を特定する手順、
前記操作デバイスに設定された発光領域のうちの一部である、前記識別情報に応じた面積の特定発光領域を特定する手順、
前記特定発光領域が認識可能となるよう前記発光領域の少なくとも一部を発光させる手順、
をコンピュータに実行させることを特徴とするプログラム。
【発明の詳細な説明】
【技術分野】
【０００１】
本発明は、エンタテインメント装置、発光制御装置、操作デバイス、発光制御方法及びプログラムに関する。
【背景技術】
【０００２】
複数の操作デバイスを接続可能なゲーム装置などのエンタテインメント装置が存在する。この場合、複数の操作デバイスのそれぞれに、デバイスＩＤなどといった、当該操作デバイスに対応付けられる識別情報が割り当てられる。【０００３】
そしてユーザは、操作デバイスを用いてエンタテインメント装置に対する各種の入力操作を行うことができる。例えばエンタテインメント装置でゲームのプログラムが実行される際には、ユーザは操作デバイスを操作することによって、キャラクタの移動などといった当該操作デバイスのデバイスＩＤに応じたコマンドを実行できる。【０００４】
エンタテインメント装置に複数の操作デバイスが接続されている場合には、ユーザは、自らが操作している操作デバイスの識別情報を把握する必要がある。【０００５】
当該把握を可能にするため、このような操作デバイスのなかには、例えば、それぞれ識別情報に対応付けられる複数の発光部が設けられており、当該操作デバイスの識別情報に対応する発光部が発光するものがある。【０００６】
また例えば、複数の発光部が設けられており、当該操作デバイスの識別情報に対応付けられる数の発光部が発光する操作デバイスが存在する。【０００７】
また例えば、互いに色の異なる複数の光源などといった複数の色の光を発光可能な発光部が設けられており、当該操作デバイスの識別情報に対応する色で当該発光部が発光する操作デバイスが存在する。
【発明の概要】
【発明が解決しようとする課題】
【０００８】
しかし上記の従来技術では、ユーザが、当該ユーザが操作する操作デバイスに対応付けられる識別情報を容易に把握できないことがあった。【０００９】
本発明は上記実情に鑑みてなされたものであって、その目的の一つは、操作デバイスに対応付けられる識別情報の把握がより容易になるエンタテインメント装置、発光制御装置、操作デバイス、発光制御方法及びプログラムを提供することにある。
【課題を解決するための手段】
【００１０】
上記課題を解決するために、本発明に係るエンタテインメント装置は、発光部を備える操作デバイスから当該操作デバイスの識別情報を受信する通信部と、前記操作デバイスの識別情報とユーザ識別情報とを関連付ける制御部と、を含み、前記ユーザ識別情報は、少なくとも前記発光部に対する発光色、及び、発光させる領域を示す情報を含み、前記通信部は、前記ユーザ識別情報を前記操作デバイスに対して送信する。【００１１】
また、本発明に係る発光制御装置は、操作デバイスに対応付けられる識別情報を特定する識別情報特定部と、前記操作デバイスに設定された発光領域のうちの、前記識別情報に応じた一部である特定発光領域を特定する特定発光領域特定部と、前記識別情報に応じた色及び前記特定発光領域が認識可能となるよう前記発光領域の少なくとも一部を発光させる発光制御部と、を含む。【００１２】
また、本発明の一態様では、前記発光領域は、複数の部分発光領域を含み、前記発光制御部は、前記特定発光領域に対応付けられる少なくとも１つの前記部分発光領域を発光させる。【００１３】
この態様では、前記部分発光領域のそれぞれは、前記発光領域の境界線に沿って配置されていてもよい。【００１４】
あるいは、前記発光制御部は、前記特定発光領域に対応付けられる少なくとも１つの前記部分発光領域を、前記識別情報に応じた色で発光させてもよい。【００１５】
この態様では、前記発光制御部は、前記識別情報に応じた数の前記部分発光領域を、前記識別情報に応じた色で発光させてもよい。【００１６】
また、本発明の一態様では、前記識別情報ごとに、当該識別情報に対応した発光色を特定する色特定部、をさらに含む。【００１７】
また、本発明の一態様では、前記識別情報ごとに、当該識別情報に対応した発光パターンを特定する発光表現特定部、をさらに含む。【００１８】
この態様では、前記発光領域は、複数の部分発光領域を含み、前記発光表現特定部は、どの前記部分発光領域を発光させるかを特定してもよい。【００１９】
また、本発明の一態様では、前記発光領域は、第１発光領域と第２発光領域とを含み、前記特定発光領域特定部は、前記第１発光領域のうちの、前記識別情報に応じた一部である前記特定発光領域を特定し、前記発光制御部は、前記特定発光領域が認識可能となるよう前記識別情報によらない共通の色で前記第１発光領域の少なくとも一部を発光させ、前記発光制御部は、前記識別情報に応じた色で前記第２発光領域の少なくとも一部を発光させる。【００２０】
また、本発明の一態様では、前記特定発光領域特定部は、前記識別情報に応じた長さの前記特定発光領域を特定する。【００２１】
また、本発明の一態様では、前記特定発光領域特定部は、前記識別情報に応じた面積の前記特定発光領域を特定する。【００２２】
また、本発明の一態様では、前記特定発光領域特定部は、前記発光制御装置に接続された前記操作デバイスの数に応じた面積の前記特定発光領域を特定する。【００２３】
また、本発明の一態様では、前記発光制御部に、前記発光領域の全部を１つの色で発光させるか、前記発光領域のうちの一部である前記特定発光領域と当該特定発光領域以外の領域とを識別可能に前記発光領域の少なくとも一部を発光させるか、を変更する設定変更部、をさらに含む。【００２４】
また、本発明の一態様では、前記操作デバイスを操作するユーザに関する情報、及び、前記操作デバイスの発光が表現された情報が配置された画面を表示部に表示させる表示制御部、をさらに含む。【００２５】
また、本発明の一態様では、前記識別情報は、色を示す情報、又は、番号である。【００２６】
また、本発明に係る別の発光制御装置は、操作デバイスに対応付けられる識別情報を特定する識別情報特定部と、前記操作デバイスに設定された発光領域のうちの一部である、前記識別情報に応じた長さの特定発光領域を特定する特定発光領域特定部と、前記特定発光領域が認識可能となるよう前記発光領域の少なくとも一部を発光させる発光制御部と、を含む。【００２７】
また、本発明に係るさらに別の発光制御装置は、操作デバイスに対応付けられる識別情報を特定する識別情報特定部と、前記操作デバイスに設定された発光領域のうちの一部である、前記識別情報に応じた面積の特定発光領域を特定する特定発光領域特定部と、前記特定発光領域が認識可能となるよう前記発光領域の少なくとも一部を発光させる発光制御部と、を含む。【００２８】
また、本発明に係る操作デバイスは、操作デバイスであって、前記操作デバイスに対応付けられる識別情報を特定する識別情報特定部と、前記操作デバイスに設定された発光領域のうちの、前記識別情報に応じた一部である特定発光領域を特定する特定発光領域特定部と、前記識別情報に応じた色及び前記特定発光領域が認識可能となるよう前記発光領域の少なくとも一部を発光させる発光制御部と、を含む発光制御装置から、前記発光領域の少なくとも一部を発光させる制御信号を受け付ける制御信号受付部と、前記制御信号の受付に応じて、前記操作デバイスに対応付けられる識別情報に応じた色、及び、当該識別情報に応じた前記発光領域のうちの一部である特定発光領域が認識可能となるよう発光する発光部と、を含む。【００２９】
また、本発明に係る別の操作デバイスは、操作デバイスであって、前記操作デバイスに対応付けられる識別情報を特定する識別情報特定部と、前記操作デバイスに設定された発光領域のうちの一部である、前記識別情報に応じた長さの特定発光領域を特定する特定発光領域特定部と、前記特定発光領域が認識可能となるよう前記発光領域の少なくとも一部を発光させる発光制御部と、を含む発光制御装置から、前記発光領域の少なくとも一部を発光させる制御信号を受け付ける制御信号受付部と、前記制御信号の受付に応じて、前記特定発光領域が認識可能となるよう発光する発光部と、を含む。【００３０】
また、本発明に係るさらに別の操作デバイスは、操作デバイスであって、前記操作デバイスに対応付けられる識別情報を特定する識別情報特定部と、前記操作デバイスに設定された発光領域のうちの一部である、前記識別情報に応じた面積の特定発光領域を特定する特定発光領域特定部と、前記特定発光領域が認識可能となるよう前記発光領域の少なくとも一部を発光させる発光制御部と、を含む発光制御装置から、前記発光領域の少なくとも一部を発光させる制御信号を受け付ける制御信号受付部と、前記制御信号の受付に応じて、前記特定発光領域が認識可能となるよう発光する発光部と、を含む。【００３１】
また、本発明に係る発光制御方法は、操作デバイスに対応付けられる識別情報を特定するステップと、前記操作デバイスに設定された発光領域のうちの、前記識別情報に応じた一部である特定発光領域を特定するステップと、前記識別情報に応じた色及び前記特定発光領域が認識可能となるよう前記発光領域の少なくとも一部を発光させるステップと、を含む。【００３２】
また、本発明に係る別の発光制御方法は、操作デバイスに対応付けられる識別情報を特定するステップと、前記操作デバイスに設定された発光領域のうちの一部である、前記識別情報に応じた長さの特定発光領域を特定するステップと、前記特定発光領域が認識可能となるよう前記発光領域の少なくとも一部を発光させるステップと、を含む。【００３３】
また、本発明に係るさらに別の発光制御方法は、操作デバイスに対応付けられる識別情報を特定するステップと、前記操作デバイスに設定された発光領域のうちの一部である、前記識別情報に応じた面積の特定発光領域を特定するステップと、前記特定発光領域が認識可能となるよう前記発光領域の少なくとも一部を発光させるステップと、を含む。【００３４】
また、本発明に係るプログラムは、操作デバイスに対応付けられる識別情報を特定する手順、前記操作デバイスに設定された発光領域のうちの、前記識別情報に応じた一部である特定発光領域を特定する手順、前記識別情報に応じた色及び前記特定発光領域が認識可能となるよう前記発光領域の少なくとも一部を発光させる手順、をコンピュータに実行させる。【００３５】
また、本発明に係る別のプログラムは、操作デバイスに対応付けられる識別情報を特定する手順、前記操作デバイスに設定された発光領域のうちの一部である、前記識別情報に応じた長さの特定発光領域を特定する手順、前記特定発光領域が認識可能となるよう前記発光領域の少なくとも一部を発光させる手順、をコンピュータに実行させる。【００３６】
また、本発明に係るさらに別のプログラムは、操作デバイスに対応付けられる識別情報を特定する手順、前記操作デバイスに設定された発光領域のうちの一部である、前記識別情報に応じた面積の特定発光領域を特定する手順、前記特定発光領域が認識可能となるよう前記発光領域の少なくとも一部を発光させる手順、をコンピュータに実行させる。
【図面の簡単な説明】
【００３７】
【図１】本発明の一実施形態に係るエンタテインメントシステムの全体構成の一例を示す図である。
【図２Ａ】本発明の一実施形態に係るエンタテインメント装置の構成の一例を示す図である。
【図２Ｂ】本発明の一実施形態に係るコントローラの構成の一例を示す図である。
【図３】本発明の一実施形態に係るコントローラの上面の一例を示す図である。
【図４】部分発光領域の一例を示す図である。
【図５Ａ】本発明の一実施形態に係るエンタテインメント装置で実装される機能の一例を示す機能ブロック図である。
【図５Ｂ】本発明の一実施形態に係るエンタテインメント装置で実装される機能の一例を示す機能ブロック図である。
【図６】特定発光領域の一例を示す図である。
【図７】部分発光領域の一例を示す図である。
【図８】部分発光領域の一例を示す図である。
【図９】部分発光領域の一例を示す図である。
【図１０】部分発光領域の一例を示す図である。
【図１１】特定発光領域の一例を示す図である。
【図１２】特定発光領域の一例を示す図である。
【図１３】特定発光領域の一例を示す図である。
【図１４】部分発光領域の一例を示す図である。
【図１５】部分発光領域の一例を示す図である。
【図１６】特定発光領域の一例を示す図である。
【図１７】特定発光領域の一例を示す図である。
【図１８】特定発光領域の一例を示す図である。
【図１９】部分発光領域の一例を示す図である。
【図２０】部分発光領域の一例を示す図である。
【図２１】特定発光領域の一例を示す図である。
【図２２】特定発光領域の一例を示す図である。
【図２３】特定発光領域の一例を示す図である。
【図２４】特定発光領域の一例を示す図である。
【図２５】メニュー画面の一例を示す図である。
【図２６】メニュー画面の一例を示す図である。
【図２７】メニュー画面の一例を示す図である。
【図２８】メニュー画面の一例を示す図である。
【図２９】メニュー画面の一例を示す図である。
【図３０】ユーザ管理データの一例を示す図である。
【発明を実施するための形態】
【００３８】
以下、本発明の一実施形態について図面に基づき詳細に説明する。
【００３９】
図１は、本発明の一実施形態に係るエンタテインメントシステム１０の全体構成の一例を示す図である。図１に示すように、本実施形態に係るエンタテインメントシステム１０は、エンタテインメント装置１２とディスプレイ１４とカメラマイクユニット１６とコントローラ１８とを含んでいる。
【００４０】
本実施形態に係るエンタテインメント装置１２は、例えばゲームコンソール、ＤＶＤプレイヤ、Ｂｌｕ−ｒａｙ（登録商標）プレイヤなどといったコンピュータである。本実施形態に係るエンタテインメント装置１２は、例えば記憶されている、あるいは、光ディスクに記録された、ゲームプログラムの実行やコンテンツの再生などによって映像や音声を生成する。そして本実施形態に係るエンタテインメント装置１２は、生成される映像を表す映像信号や生成される音声を表す音声信号を出力する。
【００４１】
本実施形態に係るエンタテインメント装置１２は、例えば図２に示すように、プロセッサ２０、記憶部２２、通信部２４、入出力部２６を含んでいる。
【００４２】
プロセッサ２０は、例えばエンタテインメント装置１２にインストールされるプログラムに従って動作するＣＰＵ等のプログラム制御デバイス（制御部）である。本実施形態に係るプロセッサ２０には、ＣＰＵから供給されるグラフィックスコマンドやデータに基づいてフレームバッファに画像を描画するＧＰＵ（Graphics Processing Unit）も含まれている。
【００４３】
記憶部２２は、例えばＲＯＭやＲＡＭ等の記憶素子やハードディスクドライブなどである。記憶部２２には、プロセッサ２０によって実行されるプログラムなどが記憶される。また、本実施形態に係る記憶部２２には、ＧＰＵにより画像が描画されるフレームバッファの領域が確保されている。
【００４４】
通信部２４は、例えばネットワークボードや無線ＬＡＮモジュールやブルートゥース（登録商標）モジュールなどの通信インタフェースなどである。
【００４５】
入出力部２６は、ＨＤＭＩ（登録商標）（High-Definition Multimedia Interface）ポート、ＵＳＢポートなどの入出力ポートである。
【００４６】
本実施形態に係るディスプレイ１４は、例えば液晶ディスプレイ等であり、エンタテインメント装置１２から出力される映像信号が表す映像などを表示させる。
【００４７】
本実施形態に係るカメラマイクユニット１６は、例えば被写体を撮影した画像をエンタテインメント装置１２に出力するカメラ１６ａ及び周囲の音声を取得して当該音声を音声データに変換してエンタテインメント装置１２に出力するマイク１６ｂを含んでいる。また本実施形態に係るカメラ１６ａはステレオカメラである。
【００４８】
エンタテインメント装置１２とディスプレイ１４とは、例えば、ＡＶケーブルや、ＨＤＭＩケーブル等を介して接続されている。エンタテインメント装置１２とカメラマイクユニット１６とは、例えば、ＵＳＢケーブルや、ＡＶケーブルや、ＨＤＭＩ（登録商標）（High-Definition Multimedia Interface）ケーブル等を介して接続されている。
【００４９】
本実施形態に係るコントローラ１８（１８ａ、１８ｂ、１８ｃ、１８ｄ、・・・）は、エンタテインメント装置１２に対する操作入力を行うための操作デバイスである。
【００５０】
本実施形態に係るコントローラ１８は、例えば図２Ｂに示すように、制御部３０、記憶部３２、通信部３４、入力部３６、センサ部３８、発光部４０、タッチセンサ４２、振動子４４、拡張端子４６、を含んでいる。
【００５１】
制御部３０は、例えばデジタルシグナルプロセッサ（ＤＳＰ）などの制御デバイスである。記憶部３２は、例えばメモリなどの記憶素子である。通信部３４は、例えば、無線ＬＡＮモジュールやブルートゥースモジュールなどの通信インタフェースである。入力部３６は、方向キー、ボタン、操作スティック、タッチパッド、キーパッドなどの入力操作部材である。センサ部３８は、加速度センサ、モーションセンサ、ジャイロセンサ、ＧＰＳモジュールなどのデバイスである。発光部４０は、例えば、ＬＥＤなどの光源を含むデバイスである。発光部４０には、互いに色の異なる複数の光源（例えば、赤、緑、及び、青の光源）が含まれていてもよい。なお発光部４０に、アクリルやポリカーボネートなどを材料に含む導光板（光拡散部材）が含まれていてもよい。また、発光部４０は、液晶ディスプレイ（ＬＣＤ）などの表示デバイスであってもよい。タッチセンサ４２は、ユーザの指などの物体の位置を検出可能なデバイスである。振動子４４は、アクチュエータなどの振動デバイスである。拡張端子４６は、ＵＳＢポートなどの端子である。
【００５２】
図３には、コントローラ１８の上面の一例が示されている。以下の説明では、図３における上方向がコントローラ１８の前方向であり、図３における下方向がコントローラ１８の後方向であることとする。
【００５３】
図３に示すように、本実施形態に係るコントローラ１８は、方向キー、ボタン、操作スティックを備える。ユーザは、コントローラ１８が備える方向キーやボタンを押下したり、操作スティックを傾けたりすることで、コントローラ１８を用いて各種の操作入力を行うことができる。またコントローラ１８を動かすことに応じたセンサ部３８の出力を用いて、各種の操作入力を行うことができる。そして本実施形態では、コントローラ１８は、操作入力に対応付けられる入力データをエンタテインメント装置１２に出力する。
【００５４】
また図３に示すように、本実施形態に係るコントローラ１８の上面の前側中央には、ユーザの指などの物体の位置を検出可能なタッチセンサ４２が設けられている。
【００５５】
そして本実施形態では上から見た際に少なくとも一部がタッチセンサ４２と重なる発光領域４８が設定されている。ここで上から見た際にタッチセンサ４２が占める領域を含む、当該領域よりも広い領域が、発光領域４８として設定されている。なお、上から見た際にタッチセンサ４２と重なる領域が発光領域４８として設定されてもよい。本実施形態に係るコントローラ１８には、例えば、タッチセンサ４２の下面（裏面）に、ＬＥＤなどの光源を含む発光部４０が設けられている。当該発光部４０には、互いに色の異なる複数の光源（例えば、赤、緑、及び、青の光源）が含まれている。なお当該発光部４０に、アクリルやポリカーボネートなどを材料に含む導光板（光拡散部材）が含まれていてもよい。
【００５６】
またタッチセンサ４２や発光部４０の下方には、タッチセンサ４２が押下されたことを検知するためのスイッチが配置されている。そのため、タッチセンサ４２はオン／オフ操作が可能なボタンとしても機能する。
【００５７】
ユーザがタッチセンサ４２に対して指などによりタッチ操作を行った際には、コントローラ１８は、タッチ操作が行われた位置を示す入力データをエンタテインメント装置１２に出力する。また、ユーザが上述のスイッチに対するオン／オフ操作を行った際には、コントローラ１８は、当該オン／オフ操作が行われたことを示す入力データをエンタテインメント装置１２に出力する。なおこの場合、オン／オフ操作が行われた際にタッチセンサ４２が検出する位置、及び、当該オン／オフ操作が行われたことを示す入力データがエンタテインメント装置１２に出力されてもよい。
【００５８】
また、本実施形態に係るコントローラ１８は、ＵＳＢケーブルでエンタテインメント装置１２と接続することで、有線で入力データをエンタテインメント装置１２に出力することができる。また、本実施形態に係るコントローラ１８は、無線で入力データをエンタテインメント装置１２に出力することができるようにもなっている。
【００５９】
本実施形態に係るコントローラ１８は、エンタテインメント装置１２から送信される発光制御信号を受信する。当該発光制御信号には、例えば、発光させる色や発光させるべき領域などを示す情報が含まれている。そしてコントローラ１８は、当該発光制御信号が示す情報に従って、発光領域４８の少なくとも一部を発光させる。
【００６０】
また本実施形態では、コントローラ１８に対して図３に示す接続ボタン５０を押下する操作などといった所定の接続操作を行うことで、当該コントローラ１８とエンタテインメント装置１２が接続されて、当該コントローラ１８による操作入力が可能となる。また本実施形態に係るエンタテインメント装置１２は、複数のコントローラ１８と接続することができるようになっている。そして、本実施形態では、エンタテインメント装置１２に接続されたコントローラ１８には、当該コントローラ１８に対応付けられる識別情報が割り当てられる。以下、コントローラ１８に対応付けられる識別情報を、当該コントローラ１８のデバイスＩＤと呼ぶこととする。ここで例えば、エンタテインメント装置１２に接続されたコントローラ１８には、エンタテインメント装置１２に接続された順序に対応付けられるデバイスＩＤが設定されてもよい。
【００６１】
以下の説明では、コントローラ１８ａ、コントローラ１８ｂ、コントローラ１８ｃ、コントローラ１８ｄの順に、４個のコントローラ１８がエンタテインメント装置１２に接続されることとする。そして、コントローラ１８ａにはデバイスＩＤとして１が、コントローラ１８ｂにはデバイスＩＤとして２が、コントローラ１８ｃにはデバイスＩＤとして３が、コントローラ１８ｄにはデバイスＩＤとして４が設定されることとする。なお、デバイスＩＤが、番号ではなく、例えば、色を示す情報であってもよい。
【００６２】
図４は、本実施形態に係る部分発光領域５２の一例を模式的に示す図である。図４の例では、発光領域４８に、４個の部分発光領域５２ａ、５２ｂ、５２ｃ、及び、５２ｄが含まれている。部分発光領域５２ａ、５２ｂ、５２ｃ、及び、５２ｄは、それぞれ、発光領域４８を縦横２×２の４個の領域に分割した際の左上の領域、右上の領域、左下の領域、及び、右下の領域に相当する。
【００６３】
そして本実施形態では例えば、デバイスＩＤが１であるコントローラ１８ａについては、部分発光領域５２ａが青色で発光するよう制御される。そしてデバイスＩＤが２であるコントローラ１８ｂについては、部分発光領域５２ｂが赤色で発光するよう制御される。そしてデバイスＩＤが３であるコントローラ１８ｃについては、部分発光領域５２ｃが緑色で発光するよう制御される。そしてデバイスＩＤが４であるコントローラ１８ｄについては、部分発光領域５２ｄがマゼンダ色で発光するよう制御される。
【００６４】
従来のコントローラ１８のなかには、それぞれデバイスＩＤに対応付けられる複数の発光部が設けられており、当該コントローラ１８のデバイスＩＤに対応する発光部が発光するものがある。また、従来のコントローラ１８のなかには、複数の発光部が設けられており、当該コントローラ１８のデバイスＩＤに対応付けられる数の発光部が発光するものがある。また、従来のコントローラ１８のなかには、互いに色の異なる複数の光源などといった複数の色の光を発光可能な発光部が設けられており、当該コントローラ１８のデバイスＩＤに対応する色で当該発光部が発光するものがある。
【００６５】
本実施形態では、以上で説明したように、発光している領域と発光色との両方をユーザが視認することによって、当該ユーザはコントローラ１８のデバイスＩＤを把握できるようになっている。そのため、本実施形態に係るエンタテインメントシステム１０によれば、上述したような従来のコントローラ１８よりも、ユーザは、コントローラ１８に対応付けられる識別情報をより容易に把握できることとなる。
【００６６】
以下、発光領域４８の発光制御を中心に、本実施形態に係るエンタテインメント装置１２の機能についてさらに説明する。
【００６７】
図５は、本実施形態に係るエンタテインメント装置１２で実装される機能の一例を示す機能ブロック図である。なお、本実施形態に係るエンタテインメント装置１２で、図５に示す機能のすべてが実装される必要はなく、また、図５に示す機能以外の機能が実装されていても構わない。
【００６８】
図５に示すように、本実施形態に係るエンタテインメント装置１２には、機能的には例えば、識別情報特定部６０、発光表現特定部６２、発光制御部６４、設定変更部６６、表示制御部６８、が含まれる。また、発光表現特定部６２には、特定発光領域特定部６２ａ、色特定部６２ｂ、が含まれる。
【００６９】
識別情報特定部６０、発光表現特定部６２は、プロセッサ２０を主として実装される。発光制御部６４、設定変更部６６は、プロセッサ２０及び通信部２４を主として実装される。表示制御部６８は、プロセッサ２０及び入出力部２６を主として実装される。
【００７０】
そして以上の機能は、コンピュータであるエンタテインメント装置１２にインストールされた、以上の機能に対応する指令を含むプログラムをプロセッサ２０で実行することにより実装されている。このプログラムは、例えば、光ディスク、磁気ディスク、磁気テープ、光磁気ディスク、フラッシュメモリ等のコンピュータ読み取り可能な情報記憶媒体を介して、あるいは、インターネットなどを介してエンタテインメント装置１２に供給される。
【００７１】
図５Ｂは、本実施形態に係るコントローラ１８で実装される機能の一例を示す機能ブロック図である。なお、本実施形態に係るエンタテインメント装置１２で、図５Ｂに示す機能のすべてが実装される必要はなく、また、図５Ｂに示す機能以外の機能が実装されていても構わない。
【００７２】
図５Ｂに示すように、本実施形態に係るコントローラ１８には、機能的には例えば、入力データ出力部７０、制御信号受信部７２、発光制御部７４が含まれる。
【００７３】
入力データ出力部７０、制御信号受信部７２は、通信部３４を主として実装される。発光制御部７４は、制御部３０及び発光部４０を主として実装される。
【００７４】
識別情報特定部６０は、本実施形態では例えば、コントローラ１８に対応付けられる識別情報（ここでは例えばデバイスＩＤ）を特定する。例えば、コントローラ１８に対する接続操作が実行されることで、当該コントローラ１８は、接続要求をエンタテインメント装置１２に送信する。そしてその後、当該コントローラ１８とエンタテインメント装置１２とを接続する処理が実行される。その際に、識別情報特定部６０は、エンタテインメント装置１２に既に接続されているコントローラ１８のデバイスＩＤとは異なるデバイスＩＤを、当該コントローラ１８のデバイスＩＤとして特定する。
【００７５】
発光表現特定部６２は、本実施形態では例えば、発光させる領域、長さ、面積などといった、発光領域４８の発光パターンや、発光色などを特定する。また、発光表現特定部６２は、コントローラ１８のデバイスＩＤごとに、当該デバイスＩＤに対応した発光パターンを特定してもよい。また、発光表現特定部６２は、どの部分発光領域５２を発光させるかを特定してもよい。
【００７６】
図６は、特定発光領域８０の一例を模式的に示す図である。後述するように、本実施形態に係る特定発光領域８０は、ユーザが認識可能となるよう制御される領域である。図６の例では、発光領域４８を縦横２×２の４個の領域に分割した際の左上、右上、左下、及び、右下の領域が、それぞれ、特定発光領域８０ａ、８０ｂ、８０ｃ、及び、８０ｄと示されている。
【００７７】
図６の例では、特定発光領域８０と部分発光領域５２とは１対１で対応付けられる。例えば、図６に示されている特定発光領域８０ａ、８０ｂ、８０ｃ、及び、８０ｄは、それぞれ、図４に示す部分発光領域５２ａ、５２ｂ、５２ｃ、及び、５２ｄに対応付けられる。なお、図６に示されている特定発光領域８０ａ、８０ｂ、８０ｃ、及び、８０ｄは、それぞれ、図４に示す部分発光領域５２ａ、５２ｂ、５２ｃ、及び、５２ｄと、位置、形状、及び、大きさが同じである。
【００７８】
発光表現特定部６２に含まれる特定発光領域特定部６２ａは、本実施形態では例えば、コントローラ１８に設定された発光領域４８のうちの、当該コントローラ１８のデバイスＩＤに応じた一部である特定発光領域８０を特定する。例えば、デバイスＩＤが１であるコントローラ１８ａに対応付けられる特定発光領域８０としては、特定発光領域８０ａが特定される。また例えば、デバイスＩＤが２であるコントローラ１８ｂに対応付けられる特定発光領域８０としては、特定発光領域８０ｂが特定される。また例えば、デバイスＩＤが３であるコントローラ１８ｃに対応付けられる特定発光領域８０としては、特定発光領域８０ｃが特定される。また例えば、デバイスＩＤが４であるコントローラ１８ｄに対応付けられる特定発光領域８０としては、特定発光領域８０ｄが特定される。
【００７９】
発光表現特定部６２に含まれる色特定部６２ｂは、本実施形態では例えば、コントローラ１８のデバイスＩＤに応じた色を特定する。色特定部６２ｂは、コントローラ１８のデバイスＩＤに対応した発光色を特定してもよい。
【００８０】
本実施形態ではデバイスＩＤと色との対応については予め定められていることとする。例えば、デバイスＩＤの値１、２、３、及び、４のそれぞれには、青色、赤色、緑色、及び、マゼンダ色が対応付けられることとする。そのためデバイスＩＤが１であるコントローラ１８ａについてはデバイスＩＤに応じた色として青色が特定される。また、デバイスＩＤが２であるコントローラ１８ｂについてはデバイスＩＤに応じた色として赤色が特定される。また、デバイスＩＤが３であるコントローラ１８ｃについてはデバイスＩＤに応じた色として緑色が特定される。また、デバイスＩＤが４であるコントローラ１８ｄについてはデバイスＩＤに応じた色としてマゼンダ色が特定される。
【００８１】
また本実施形態において、発光表現特定部６２は、予め定められた第１設定、又は、第２設定のうちのいずれかの設定で動作してもよい。この場合、第１設定では、特定発光領域特定部６２ａが、発光領域４８の全部を特定発光領域８０として特定してもよい。そして第２設定では、特定発光領域特定部６２ａが、上述したように、コントローラ１８に設定された発光領域４８のうちの、当該コントローラ１８のデバイスＩＤに応じた一部である特定発光領域８０を特定してもよい。
【００８２】
発光制御部６４は、本実施形態では例えば、デバイスＩＤに応じた色、及び、特定発光領域８０が認識可能となるよう発光領域４８の少なくとも一部を発光させる。ここで発光制御部６４は、複数の部分発光領域５２のうち、特定発光領域８０に対応付けられる少なくとも１つの部分発光領域５２を発光させてもよい。また発光制御部６４は、特定発光領域８０に対応付けられる少なくとも１つの部分発光領域５２を、コントローラ１８のデバイスＩＤに応じた色で発光させてもよい。またこの場合、特定発光領域８０に対応付けられる少なくとも１つの部分発光領域５２以外の部分発光領域５２は発光しないよう制御されてもよい。
【００８３】
発光制御部６４は、特定発光領域特定部６２ａが特定する特定発光領域８０に基づいて、当該特定発光領域８０に対応付けられる少なくとも１つの部分発光領域５２を特定してもよい。そして発光制御部６４は、色特定部６２ｂが特定する色、及び、特定される部分発光領域５２を示す発光制御信号をコントローラ１８に送信してもよい。そしてコントローラ１８は、当該発光制御信号を受け付けてもよい。そして、当該発光制御信号の受付に応じて、コントローラ１８の発光部４０は、当該コントローラ１８のデバイスＩＤに応じた色、及び、特定発光領域８０が認識可能となるよう発光してもよい。例えば、発光制御信号が示す部分発光領域５２を発光制御信号が示す色で発光するようコントローラ１８の発光部４０が制御されてもよい。
【００８４】
例えば、発光制御部６４は、第１設定では、コントローラ１８ａに、青色、及び、発光領域４８の全部を示す発光制御信号を送信してもよい。そしてコントローラ１８ａは、当該発光制御信号の受信に応じて、発光領域４８の全部を青色で発光させてもよい。また例えば、発光制御部６４は、第２設定では、特定発光領域８０ａに対応付けられる部分発光領域５２として、部分発光領域５２ａを特定してもよい。そして、発光制御部６４は、コントローラ１８ａに、青色、及び、部分発光領域５２ａを示す発光制御信号を送信してもよい。そしてコントローラ１８ａは、当該発光制御信号の受信に応じて、部分発光領域５２ａを青色で発光させてもよい。
【００８５】
また、発光制御部６４は、第１設定では、コントローラ１８ｂに、赤色、及び、発光領域４８の全部を示す発光制御信号を送信してもよい。そしてコントローラ１８ｂは、当該発光制御信号の受信に応じて、発光領域４８の全部を赤色で発光させてもよい。また例えば、発光制御部６４は、第２設定では、特定発光領域８０ｂに対応付けられる部分発光領域５２として、部分発光領域５２ｂを特定してもよい。そして、発光制御部６４は、コントローラ１８ｂに、赤色、及び、部分発光領域５２ｂを示す発光制御信号を送信してもよい。そしてコントローラ１８ｂは、当該発光制御信号の受信に応じて、部分発光領域５２ｂを赤色で発光させてもよい。
【００８６】
同様にして、発光制御部６４は、第１設定では、コントローラ１８ｃに、緑色、及び、発光領域４８の全部を示す発光制御信号を送信してもよい。そしてコントローラ１８ｃは、発光領域４８の全部を緑色で発光させてもよい。また、発光制御部６４は、第２設定では、緑色、及び、部分発光領域５２ｃを示す発光制御信号を送信してもよい。そしてコントローラ１８ｃは、部分発光領域５２ｃを緑色で発光させてもよい。
【００８７】
また、発光制御部６４は、第１設定では、コントローラ１８ｄに、マゼンダ色、及び、発光領域４８の全部を示す発光制御信号を送信してもよい。そしてコントローラ１８ｄは、発光領域４８の全部をマゼンダ色で発光させてもよい。また、発光制御部６４は、第２設定では、マゼンダ色、及び、部分発光領域５２ｄを示す発光制御信号を送信してもよい。そしてコントローラ１８ｄは、部分発光領域５２ｄをマゼンダ色で発光させてもよい。
【００８８】
設定変更部６６は、本実施形態では例えば、発光制御部６４に、発光領域４８の全部を１つの色で発光させるか、発光領域４８のうちの特定発光領域８０と当該特定発光領域８０以外の領域とを識別可能に発光領域４８の少なくとも一部を発光させるか、を変更する。ここで設定変更部６６は、発光表現特定部６２を上述の第１設定で動作させるか上述の第２設定で動作させるかを変更してもよい。また、いずれかのコントローラ１８に対する所定の設定変更操作に応じて、当該変更が行われてもよい。
【００８９】
上述の第１設定では、発光している領域はすべてのコントローラ１８において同じであるが発光色がコントローラ１８によって異なっている。上述の第２設定では、発光している領域と発光色との両方がコントローラ１８によって異なっている。そしてコントローラ１８のデバイスＩＤを容易に把握するためには、第１設定による発光表現がよいのか第２設定による発光表現がよいのかは、ユーザによって異なる可能性がある。上述した設定変更部６６の機能によれば、ユーザは自分の好みに応じた発光表現を選択できることとなる。
【００９０】
なお、部分発光領域５２の配置は、図４に示すものに限定されない。図７は、本実施形態に係る部分発光領域５２の別の一例を示す図である。図７に示すように、発光領域４８の境界線に沿って、部分発光領域５２ａ、５２ｂ、５２ｃ、及び、５２ｄが設けられていてもよい。また、図７に示すように、部分発光領域５２が、発光領域４８の辺に沿ったＬ字形状の領域であってもよい。図７に示す、部分発光領域５２ａ、５２ｂ、５２ｃ、及び、５２ｄは、それぞれ、発光領域４８を縦横２×２の４個の領域に分割した際の左上、右上、左下、及び、右下の領域に配置されている。そのため、図７に示す部分発光領域５２ａ、５２ｂ、５２ｃ、及び、５２ｄは、それぞれ、図６に示す特定発光領域８０ａ、８０ｂ、８０ｃ、及び、８０ｄに対応付けられる部分発光領域５２である。図７の例でも図４の例と同様、部分発光領域５２が発光することによって、当該部分発光領域５２に対応付けられる特定発光領域８０が認識可能となる。
【００９１】
また図８及び図９に示すように、発光領域４８が、第１発光領域４８ａと第２発光領域４８ｂとを含んでいてもよい。図８及び図９に示す第１発光領域４８ａは、図４に示す発光領域４８と位置、形状、及び、大きさが同じである。そして図８及び図９の例では、図８及び図９における第１発光領域４８ａの下（コントローラ１８における第１発光領域４８ａの後ろ）に第２発光領域４８ｂが設けられている。
【００９２】
図８に示す部分発光領域５２ａ、５２ｂ、５２ｃ、及び、５２ｄは、それぞれ、図４に示す部分発光領域５２ａ、５２ｂ、５２ｃ、及び、５２ｄと、位置、形状、及び、大きさが同じである。図９に示す部分発光領域５２ａ、５２ｂ、５２ｃ、及び、５２ｄは、それぞれ、図７に示す部分発光領域５２ａ、５２ｂ、５２ｃ、及び、５２ｄと、位置、形状、及び、大きさが同じである。図８及び図９に示す第２発光領域４８ｂには、部分発光領域５２ｅが含まれている。
【００９３】
そして図８及び図９の例において、特定発光領域特定部６２ａは、第１発光領域４８ａのうちの、コントローラ１８のデバイスＩＤに応じた一部である特定発光領域８０を特定してもよい。
【００９４】
そして、発光制御部６４は、特定された特定発光領域８０が認識可能となるようコントローラ１８のデバイスＩＤによらない共通の色（例えば白色）で第１発光領域４８ａの少なくとも一部を発光させてもよい。例えば、コントローラ１８ａについては、部分発光領域５２ａが白色で発光するよう制御されてもよい。また、コントローラ１８ｂについては、部分発光領域５２ｂが白色で発光するよう制御されてもよい。また、コントローラ１８ｃについては、部分発光領域５２ｃが白色で発光するよう制御されてもよい。また、コントローラ１８ｄについては、部分発光領域５２ｄが白色で発光するよう制御されてもよい。
【００９５】
そして、発光制御部６４は、コントローラ１８のデバイスＩＤに応じた色で第２発光領域４８ｂの少なくとも一部を発光させてもよい。例えば、コントローラ１８ａについては、部分発光領域５２ｅが青色で発光するよう制御されてもよい。また、コントローラ１８ｂについては、部分発光領域５２ｅが赤色で発光するよう制御されてもよい。また、コントローラ１８ｃについては、部分発光領域５２ｅが緑色で発光するよう制御されてもよい。また、コントローラ１８ｄについては、部分発光領域５２ｅがマゼンダ色で発光するよう制御されてもよい。
【００９６】
なお、図８及び図９の例において、第２設定では、上述のように制御され、第１設定では、第１発光領域４８ａが発光しないよう制御されてもよい。
【００９７】
なお、上から見た際にタッチセンサ４２が占める領域や、当該領域を含む当該領域よりも広い領域が、発光領域４８として設定されている必要はない。図１０は、本実施形態に係る部分発光領域５２の別の一例を模式的に示す図である。図１０の例では、発光領域４８は、タッチセンサ４２の後ろ（図１０における下）に設定されている。そして発光領域４８内に、４個の部分発光領域５２（３６ａ、５２ｂ、５２ｃ、及び、５２ｄ）が、左から順に一列に並んで配置されている。
【００９８】
そしてこの場合に、図１１に示すように、特定発光領域８０ａが、発光領域４８の左辺を含む、横の長さがＬ１である領域であってもよい。そしてこの場合に、コントローラ１８ａについては、特定発光領域８０ａに対応付けられる部分発光領域５２である部分発光領域５２ａが発光するよう制御されてもよい。
【００９９】
そして図１２に示すように、特定発光領域８０ｂが、発光領域４８の左辺を含む、横の長さがＬ２である領域であってもよい。ここで長さＬ２は長さＬ１より長い。なお長さＬ２は長さＬ１の２倍であってもよい。そしてこの場合に、コントローラ１８ｂについては、特定発光領域８０ｂに対応付けられる部分発光領域５２である部分発光領域５２ａ、及び、部分発光領域５２ｂが発光するよう制御されてもよい。
【０１００】
そして図１３に示すように、特定発光領域８０ｃが、発光領域４８の左辺を含む、横の長さがＬ３である領域であってもよい。ここで長さＬ３は長さＬ２より長い。なお長さＬ３は長さＬ１の３倍であってもよい。そしてこの場合に、コントローラ１８ｃについては、特定発光領域８０ｃに対応付けられる部分発光領域５２である部分発光領域５２ａ、部分発光領域５２ｂ、及び、特定発光領域８０ｃが発光するよう制御されてもよい。
【０１０１】
そして、特定発光領域８０ｄが、発光領域４８の全体を占める領域であってもよい。ここで発光領域４８の横の長さは長さＬ３よりも長い。なお発光領域４８の横の長さは長さＬ１の４倍であってもよい。そしてこの場合に、コントローラ１８ｄについては、特定発光領域８０ｄに対応付けられる部分発光領域５２である部分発光領域５２ａ、部分発光領域５２ｂ、特定発光領域８０ｃ、及び、特定発光領域８０ｄが発光するよう制御されてもよい。
【０１０２】
以上のようにして、コントローラ１８のデバイスＩＤに応じた数の部分発光領域５２が発光するよう制御されてもよい。
【０１０３】
なお図１０の例において、コントローラ１８のデバイスＩＤに応じた色で、当該コントローラ１８について特定される特定発光領域８０に対応付けられる少なくとも１つの部分発光領域５２が発光するよう制御されてもよい。また、コントローラ１８のデバイスＩＤによらず共通の色（例えば白色）で、当該コントローラ１８について特定される特定発光領域８０に対応付けられる少なくとも１つの部分発光領域５２が発光するよう制御されてもよい。
【０１０４】
また図１４に示すように、発光領域４８に、図１０における発光領域４８に相当する第１発光領域４８ａと、タッチセンサ４２の前（図１４における上）に位置する第２発光領域４８ｂとが含まれてもよい。そして特定発光領域８０が認識可能となるようコントローラ１８のデバイスＩＤによらない共通の色（例えば白色）で第１発光領域４８ａの少なくとも一部が発光するよう制御されてもよい。ここで図１０の例と同様に、コントローラ１８のデバイスＩＤに応じた数の部分発光領域５２が発光するよう制御されてもよい。そしてコントローラ１８のデバイスＩＤに応じた色で第２発光領域４８ｂの少なくとも一部が発光するよう制御されてもよい。
【０１０５】
また図１０及び図１４の例において、コントローラ１８のデバイスＩＤに応じた位置の部分発光領域５２が発光するよう制御されてもよい。例えば、コントローラ１８ａについては、部分発光領域５２ａが発光するよう制御されてもよい。また、コントローラ１８ｂについては、部分発光領域５２ｂが発光するよう制御されてもよい。また、コントローラ１８ｃについては、部分発光領域５２ｃが発光するよう制御されてもよい。また、コントローラ１８ｄについては、部分発光領域５２ｄが発光するよう制御されてもよい。またこの場合、部分発光領域５２のそばに、当該部分発光領域５２に対応付けられるデバイスＩＤを表す数字が記載されていてもよい。
【０１０６】
また図１５に示すように、図４に示されている発光領域４８と、位置、形状、及び、大きさが同じである発光領域４８内に、４個の部分発光領域５２（３６ａ、５２ｂ、５２ｃ、及び、５２ｄ）が、左から順に一列に並んで配置されていてもよい。
【０１０７】
そしてこの場合に、図１６に示すように、特定発光領域８０ａが、発光領域４８の左辺を含む、横の長さがＬ４である領域であってもよい。そしてこの場合に、コントローラ１８ａについては、特定発光領域８０ａに対応付けられる部分発光領域５２である部分発光領域５２ａが発光するよう制御されてもよい。
【０１０８】
そして図１７に示すように、特定発光領域８０ｂが、発光領域４８の左辺を含む、横の長さがＬ５である領域であってもよい。ここで長さＬ５は長さＬ４より長い。なお長さＬ５は長さＬ４の２倍であってもよい。そしてこの場合に、コントローラ１８ｂについては、特定発光領域８０ｂに対応付けられる部分発光領域５２である部分発光領域５２ａ、及び、部分発光領域５２ｂが発光するよう制御されてもよい。
【０１０９】
そして図１８に示すように、特定発光領域８０ｃが、発光領域４８の左辺を含む、横の長さがＬ６である領域であってもよい。ここで長さＬ６は長さＬ５より長い。なお長さＬ６は長さＬ４の３倍であってもよい。そしてこの場合に、コントローラ１８ｃについては、特定発光領域８０ｃに対応付けられる部分発光領域５２である部分発光領域５２ａ、部分発光領域５２ｂ、及び、特定発光領域８０ｃが発光するよう制御されてもよい。
【０１１０】
そして、特定発光領域８０ｄが、発光領域４８の全体を占める領域であってもよい。ここで発光領域４８の横の長さは長さＬ６よりも長い。なお発光領域４８の横の長さは長さＬ４の４倍であってもよい。そしてこの場合に、コントローラ１８ｄについては、特定発光領域８０ｄに対応付けられる部分発光領域５２である部分発光領域５２ａ、部分発光領域５２ｂ、特定発光領域８０ｃ、及び、特定発光領域８０ｄが発光するよう制御されてもよい。
【０１１１】
また、発光領域４８の左端、右端、上端、及び、下端のそれぞれに、部分発光領域５２ａ、５２ｂ、５２ｃ、及び、５２ｄが設けられていてもよい。具体的には例えば、図１９に示すように、発光領域４８の境界線に沿って、部分発光領域５２ａ、５２ｂ、５２ｃ、及び、５２ｄが設けられていてもよい。ここで部分発光領域５２ａ、５２ｂ、５２ｃ、及び、５２ｄは、上から見た際におけるタッチセンサ４２の外の領域に、タッチセンサ４２の辺に沿って設けられていてもよい。また部分発光領域５２ａ、５２ｂ、５２ｃ、及び、５２ｄは、上から見た際におけるタッチセンサ４２の辺上に設けられていてもよい。
【０１１２】
そしてコントローラ１８ａについては、部分発光領域５２ａが青色で発光するよう制御されてもよい。そしてコントローラ１８ｂについては、部分発光領域５２ａ、及び、部分発光領域５２ｂが赤色で発光するよう制御されてもよい。そしてコントローラ１８ｃについては、部分発光領域５２ａ、部分発光領域５２ｂ、及び、部分発光領域５２ｃが緑色で発光するよう制御されてもよい。そしてコントローラ１８ｄについては、部分発光領域５２ａ、部分発光領域５２ｂ、部分発光領域５２ｃ、及び、部分発光領域５２ｄがマゼンダ色で発光するよう制御されてもよい。
【０１１３】
また例えば、部分発光領域５２の位置と当該部分発光領域５２の発光色とが対応していてもよい。例えば、コントローラ１８ａについては、図１９に示す部分発光領域５２ａが青色で発光するよう制御されてもよい。そしてコントローラ１８ｂについては、図１９に示す部分発光領域５２ｂが赤色で発光するよう制御されてもよい。そしてコントローラ１８ｃについては、図１９に示す部分発光領域５２ｃが緑色で発光するよう制御されてもよい。そしてコントローラ１８ｄについては、図１９に示す部分発光領域５２ｄがマゼンダ色で発光するよう制御されてもよい。
【０１１４】
また、図２０に示すように、発光領域４８の左端、及び、右端のそれぞれに、５個ずつ、縦に並んで一列に部分発光領域５２が配置されていてもよい。図２０に示す発光領域４８の左端には、上から順に、部分発光領域５２ａ、５２ｂ、５２ｃ、５２ｄ、及び、３６ｅが配置されている。図２０に示す発光領域４８の右端には、上から順に、部分発光領域５２ｆ、３６ｇ、３６ｈ、３６ｉ、及び、３６ｊが配置されている。
【０１１５】
そして図２１に示すように、この場合における、特定発光領域８０ａが、発光領域４８の右端下側に配置された縦の長さがＬ７である領域であってもよい。特定発光領域８０ａに対応付けられる部分発光領域５２は、部分発光領域５２ｊである。この場合に、コントローラ１８ａについては、部分発光領域５２ｊが青色で発光するよう制御されてもよい。
【０１１６】
そして、特定発光領域８０ｂが、発光領域４８の左端下側に配置された縦の長さがＬ８である領域であってもよい。ここで長さＬ８は長さＬ７よりも長い。特定発光領域８０ｂに対応付けられる部分発光領域５２は、部分発光領域５２ｄ、及び、部分発光領域５２ｅである。この場合に、コントローラ１８ｂについては、部分発光領域５２ｄ、及び、部分発光領域５２ｅが赤色で発光するよう制御されてもよい。
【０１１７】
そして、特定発光領域８０ｃが、発光領域４８の左端上側に配置された縦の長さがＬ９である領域であってもよい。ここで長さＬ９は長さＬ８よりも長い。特定発光領域８０ｃに対応付けられる部分発光領域５２は、部分発光領域５２ａ、部分発光領域５２ｂ、及び、部分発光領域５２ｃである。この場合に、コントローラ１８ｃについては、部分発光領域５２ａ、部分発光領域５２ｂ、及び、部分発光領域５２ｃが緑色で発光するよう制御されてもよい。
【０１１８】
そして、特定発光領域８０ｄが、発光領域４８の右端上側に配置された縦の長さがＬ１０である領域であってもよい。ここで長さＬ１０は長さＬ９よりも長い。特定発光領域８０ｄに対応付けられる部分発光領域５２は、部分発光領域５２ｆ、部分発光領域５２ｇ、部分発光領域５２ｈ、及び、部分発光領域５２ｉである。この場合に、コントローラ１８ｄについては、部分発光領域５２ｆ、部分発光領域５２ｇ、部分発光領域５２ｈ、及び、部分発光領域５２ｉがマゼンダ色で発光するよう制御されてもよい。
【０１１９】
図１０〜図２１を参照して説明したように、本実施形態において、発光制御部６４は、コントローラ１８のデバイスＩＤに応じた数の部分発光領域５２を発光させてもよい。ここでコントローラ１８のデバイスＩＤに応じた数の部分発光領域５２が、当該デバイスＩＤに応じた色で発光するよう制御されてもよい。
【０１２０】
また図１０〜図１８、図２０、図２１を参照して説明したように、本実施形態において、特定発光領域特定部６２ａは、コントローラ１８のデバイスＩＤに応じた長さの特定発光領域８０を特定してもよい。
【０１２１】
また図１０〜図２１の例では、特定発光領域８０ｂの面積は、特定発光領域８０ａの面積よりも大きい。また、特定発光領域８０ｃの面積は、特定発光領域８０ｂの面積よりも大きい。また、特定発光領域８０ｄの面積は、特定発光領域８０ｃの面積よりも大きい。このように、特定発光領域特定部６２ａは、コントローラ１８のデバイスＩＤに応じた面積の特定発光領域８０を特定してもよい。
【０１２２】
また、特定発光領域特定部６２ａは、エンタテインメント装置１２に接続されたコントローラ１８の数を特定してもよい。そして特定発光領域特定部６２ａは、エンタテインメント装置１２に接続されたコントローラ１８の数に応じた特定発光領域８０を特定してもよい。例えば、特定発光領域特定部６２ａは、エンタテインメント装置１２に接続されたコントローラ１８の数に応じた面積の特定発光領域８０を特定してもよい。
【０１２３】
例えば、エンタテインメント装置１２にコントローラ１８ａだけが接続されており、エンタテインメント装置１２に接続されたコントローラ１８の数が１であることとする。この場合、図２２に示すように、発光領域４８の全部が特定発光領域８０ａとして特定されてもよい。この場合は、コントローラ１８ａは、発光領域４８の全部が青色で発光するよう制御される。
【０１２４】
そして例えば、エンタテインメント装置１２にコントローラ１８ｂが接続され、エンタテインメント装置１２に接続されたコントローラ１８の数が２になったとする。この場合、図２３に示すように、発光領域４８の左半分の領域が特定発光領域８０ａとして特定され、発光領域４８の右半分の領域が特定発光領域８０ｂとして特定されてもよい。この場合、コントローラ１８ａは、発光領域４８の全部が青色で発光している状態から、発光領域４８の左半分が青色で発光している状態に変化する。ここで例えば、図４に示す部分発光領域５２ａ、及び、部分発光領域５２ｃが発光するよう制御されてもよい。また、コントローラ１８ｂには、発光領域４８の右半分の領域が赤色で発光するよう制御される。ここで例えば、図４に示す部分発光領域５２ｂ、及び、部分発光領域５２ｄが発光するよう制御されてもよい。この場合は、接続されたコントローラ１８の数が２個である場合に発光するよう制御される領域の面積は、接続されたコントローラ１８の数が１個である場合に発光するよう制御される領域の面積の半分となる。
【０１２５】
なおここで、図２４に示すように、発光領域４８の上半分の領域が特定発光領域８０ａとして特定され、発光領域４８の下半分の領域が特定発光領域８０ｂとして特定されてもよい。この場合に、コントローラ１８ａについては、図４に示す部分発光領域５２ａ、及び、部分発光領域５２ｃが発光するよう制御されてもよい。そしてコントローラ１８ｂについては、図４に示す部分発光領域５２ｂ、及び、部分発光領域５２ｄが発光するよう制御されてもよい。この場合も、接続されたコントローラ１８の数が２個である場合に発光するよう制御される領域の面積は、接続されたコントローラ１８の数が１個である場合に発光するよう制御される領域の面積の半分となる。
【０１２６】
そして例えば、エンタテインメント装置１２にコントローラ１８ｃが接続され、エンタテインメント装置１２に接続されたコントローラ１８の数が３になったとする。この場合、図６の例と同様、発光領域４８の左上の領域が特定発光領域８０ａとして特定され、発光領域４８の右上の領域が特定発光領域８０ｂとして特定され、発光領域４８の左下の領域が特定発光領域８０ｃとして特定されてもよい。この場合は、図６を参照して説明した例と同様の発光表現がされることとなる。ここでエンタテインメント装置１２にさらにコントローラ１８ｄが接続された場合も、図６を参照して説明した例と同様の発光表現がされることとなる。この場合は、接続されたコントローラ１８の数が３個である場合に発光するよう制御される領域の面積は、接続されたコントローラ１８の数が２個である場合に発光するよう制御される領域の面積の半分となる。
【０１２７】
なお、エンタテインメント装置１２にコントローラ１８ａ及びコントローラ１８ｂが接続された際に、発光領域４８の左上の領域が特定発光領域８０ａとして特定され、発光領域４８の右上の領域が特定発光領域８０ｂとして特定されてもよい。この場合に、コントローラ１８ａについては、図４に示す部分発光領域５２ａが発光するよう制御されてもよい。そしてコントローラ１８ｂについては、図４に示す部分発光領域５２ｂが発光するよう制御されてもよい。この場合は、接続されたコントローラ１８の数が２個である場合に発光するよう制御される領域の面積は、接続されたコントローラ１８の数が１個である場合に発光するよう制御される領域の面積の１／４となる。
【０１２８】
以上のように、特定発光領域特定部６２ａは、エンタテインメント装置１２に接続されたコントローラ１８の数が多くなるほど面積が小さな特定発光領域８０を特定してもよい。また発光制御部６４が、エンタテインメント装置１２に接続されたコントローラ１８の数に応じた数の部分発光領域５２を発光させてもよい。ここでコントローラ１８の数が多くなるほど少ない数の特定発光領域８０を発光させてもよい。
【０１２９】
以上のようにすれば、ユーザは、コントローラ１８の発光（例えば発光している領域の大きさ）を視認することによって、エンタテインメント装置１２に接続されているコントローラ１８の数を把握することができる。
【０１３０】
表示制御部６８は、本実施形態では例えば、コントローラ１８を操作するユーザに関する情報、及び、コントローラ１８の発光が表現された情報が配置された画面をディスプレイ１４などの表示部に表示させる。
【０１３１】
図２５は、コントローラ１８ａを操作するユーザのメニュー画面８２ａの一例を示す図である。図２６は、コントローラ１８ｂを操作するユーザのメニュー画面８２ｂの一例を示す図である。メニュー画面８２ａは、コントローラ１８ａを操作するユーザに関する情報、及び、コントローラ１８ａの発光が表現された情報が配置された画面の一例である。メニュー画面８２ｂは、コントローラ１８ｂを操作するユーザに関する情報、及び、コントローラ１８ｂの発光が表現された情報が配置された画面の一例である。
【０１３２】
本実施形態において例えば、コントローラ１８ａがエンタテインメント装置１２に接続された後に、当該コントローラ１８ａを操作するユーザが当該ユーザのユーザＩＤを指定する操作を行ったとする。すると、当該ユーザが実行可能なプログラムの情報などが配置されたメニュー画面８２ａがディスプレイ１４に表示される。その後、コントローラ１８ｂがエンタテインメント装置１２に接続された後に、当該コントローラ１８ｂを操作するユーザが当該ユーザのユーザＩＤを指定する操作を行ったとする。すると、当該ユーザが実行可能なプログラムの情報などが配置されたメニュー画面８２ｂがディスプレイ１４に表示される。
【０１３３】
そして本実施形態では、メニュー画面８２ａに、コントローラ１８ａの発光が表現された発光表現画像８４ａが配置されている。また、メニュー画面８２ｂに、コントローラ１８ｂの発光が表現された発光表現画像８４ｂが配置されている。
【０１３４】
ここで例えば、発光表現画像８４ａが、コントローラ１８ａの発光領域４８の少なくとも一部の発光色である青色の画像であってもよい。そして、発光表現画像８４ｂが、コントローラ１８ｂの発光領域４８の少なくとも一部の発光色である赤色の画像であってもよい。
【０１３５】
図２７は、コントローラ１８ａを操作するユーザのメニュー画面８２ａの別の一例を示す図である。例えばコントローラ１８ａの発光領域４８の全体が青色で発光している際に、図２７に示すように、全領域が青色である発光表現画像８４ｃがメニュー画面８２ａに配置されるようにしてもよい。
【０１３６】
図２８は、コントローラ１８ａを操作するユーザのメニュー画面８２ａのさらに別の一例を示す図である。例えばコントローラ１８ａの発光領域４８の左上の領域が青色で発光している際に、図２７に示すように、左上の領域が青色でありその他の領域が白色である発光表現画像８４ｄがメニュー画面８２ａに配置されるようにしてもよい。例えば図４に示す部分発光領域５２ａが青色で発光している際に、図２７に示す発光表現画像８４ｄがメニュー画面８２ａに配置されるようにしてもよい。
【０１３７】
図２９は、コントローラ１８ｂを操作するユーザのメニュー画面８２ｂの別の一例を示す図である。例えばコントローラ１８ｂの発光領域４８の右上の領域が赤色で発光している際に、図２９に示すように、右上の領域が赤色でありその他の領域が白色である発光表現画像８４ｅがメニュー画面８２ｂに配置されるようにしてもよい。例えば図４に示す部分発光領域５２ｂが赤色で発光している際に、図２９に示す発光表現画像８４ｅがメニュー画面８２ｂに配置されるようにしてもよい。
【０１３８】
このようにすれば、ユーザは、コントローラ１８の発光とディスプレイ１４とを見ることで、自分に関する情報が表示されているか否か、また、どのユーザに関する情報がディスプレイ１４に表示されているのかを、容易に把握することができることとなる。
【０１３９】
入力データ出力部７０は、本実施形態では例えば、上述の入力データをエンタテインメント装置１２に出力する。
【０１４０】
制御信号受信部７２は、本実施形態では例えば、上述の発光制御信号を受信する。
【０１４１】
発光制御部７４は、本実施形態では例えば、制御信号受信部７２が受信した発光制御信号に応じて、発光領域４８の少なくとも一部を発光させる。
【０１４２】
以下、本実施形態におけるデバイスＩＤの割り当てについてさらに説明する。
【０１４３】
図３０は、本実施形態に係るエンタテインメント装置１２の記憶部２２に記憶されているユーザ管理データの一例を示す図である。
【０１４４】
図３０に示すように、ユーザ管理データには、デバイスＩＤ、発光色データ、発光パターンデータ、コントローラＩＤ、ユーザＩＤが含まれる。以下、ユーザ管理データに含まれる、デバイスＩＤ、発光色データ、発光パターンデータ、及び、ユーザＩＤを、ユーザ識別情報と呼ぶこととする。
【０１４５】
デバイスＩＤは上述したように、コントローラ１８に対応付けられる識別情報であり、図３０の例では番号である。
【０１４６】
発光色データは、発光部４０に対する発光色を示すデータである。なお、デバイスＩＤが発光色を示すデータであってもよい。そしてこの場合に、ユーザ管理データに発光色データが含まれていなくてもよい。
【０１４７】
発光パターンデータは、発光させる領域、長さ、面積などといった発光パターンを示すデータである。ここで図３０に示すように、発光パターンデータは、どの部分発光領域５２を発光させるかを示すデータであってもよい。
【０１４８】
コントローラＩＤは、例えば、ブルートゥースＩＤなどといった、コントローラ１８に固有の識別情報である。
【０１４９】
ユーザＩＤは、例えば、コントローラ１８を操作するユーザの識別情報である。
【０１５０】
図３０には、デバイスＩＤの値が１であるユーザ管理データに、コントローラＩＤの値とユーザＩＤの値が設定されていることが示されている。また、デバイスＩＤの値が２であるユーザ管理データに、コントローラＩＤの値が設定されていることが示されている。
【０１５１】
ここでは、すべてのユーザ管理データについて、コントローラＩＤの値とユーザＩＤの値が設定されていないこととする。そしてこの状態でコントローラ１８の接続ボタン５０が押下されると、接続要求がエンタテインメント装置１２に送信される。ここではコントローラ１８ａの接続ボタン５０が押下されたとする。当該接続要求にはコントローラＩＤの値が含まれている。ここでエンタテインメント装置１２が起動していない状態であればエンタテインメント装置１２が起動する。
【０１５２】
そしてエンタテインメント装置１２は、コントローラＩＤの値もユーザＩＤの値も設定されていないユーザ管理データを特定する。ここでは例えばデバイスＩＤの値が１であるユーザ管理データが特定されたとする。
【０１５３】
そして当該ユーザ管理データのコントローラＩＤの値として、コントローラ１８ａのコントローラＩＤの値を設定する。そして発光表現特定部６２が、コントローラＩＤが設定されたユーザ管理データに含まれる発光色データの値と、発光パターンデータの値を特定する。そして、発光制御部６４が、当該発光色データの値と、当該発光パターンデータの値に対応付けられる発光制御信号を当該コントローラ１８に送信する。そして、コントローラ１８ａは、以上で説明した発光制御を実行する。
【０１５４】
その後、コントローラ１８ａから、コントローラ１８ａを操作するユーザのユーザＩＤがエンタテインメント装置１２に送信される。すると、エンタテインメント装置１２は、デバイスＩＤが１であるユーザ管理データのユーザＩＤの値として、コントローラ１８ａから送信されたユーザＩＤの値を設定する。このようにして図３０に示すように、デバイスＩＤの値が１であるユーザ管理データのコントローラＩＤの値、及び、ユーザＩＤの値が設定される。
【０１５５】
そして、コントローラ１８ｂから、上述の接続要求、及び、コントローラ１８ｂを操作するユーザのユーザＩＤがエンタテインメント装置１２に送信されたとする。すると同様にして、デバイスＩＤの値が２であるユーザ管理データのコントローラＩＤの値、及び、ユーザＩＤの値が設定される。
【０１５６】
そして、コントローラ１８ｃから、上述の接続要求、及び、コントローラ１８ｃを操作するユーザのユーザＩＤがエンタテインメント装置１２に送信されたとする。すると同様にして、デバイスＩＤの値が３であるユーザ管理データのコントローラＩＤの値、及び、ユーザＩＤの値が設定される。
【０１５７】
その後、コントローラ１８ｂからログアウト要求が送信されたとする。当該ログアウト要求には、コントローラ１８ｂのコントローラＩＤの値が含まれている。すると、エンタテインメント装置１２は、デバイスＩＤの値が２であるユーザ管理データのコントローラＩＤの値、及び、ユーザＩＤの値を消去する。そして発光制御部６４は、発光しないことを示す発光制御信号をコントローラ１８ｂに送信する。すると、コントローラ１８ｂは、発光部４０を消灯する。
【０１５８】
そして、コントローラ１８ｄの接続ボタン５０が押下され、コントローラ１８ｄを操作するユーザのユーザＩＤがコントローラ１８ｄからエンタテインメント装置１２に送信されたとする。この場合は、コントローラＩＤの値、及び、ユーザＩＤの値が消去されている、デバイスＩＤの値が２であるユーザ管理データに、コントローラ１８ｄのコントローラＩＤの値、及び、コントローラ１８ｄを操作するユーザのユーザＩＤの値が設定される。
【０１５９】
その後、コントローラ１８ａからユーザ切り替え要求が送信されたとする。当該ユーザ切り替え要求には、コントローラ１８ａのコントローラＩＤの値が含まれている。するとデバイスＩＤの値が１であるユーザ管理データのコントローラＩＤの値が消去される。この場合、デバイスＩＤの値が１であるユーザ管理データのユーザＩＤの値は消去されない。
【０１６０】
その後、コントローラ１８ａから接続要求が送信されたとする。ここでは、上述のように、デバイスＩＤの値が１であるユーザ管理データにはユーザＩＤの値が含まれている。そのためこの場合は、デバイスＩＤの値が１であるユーザ管理データではなく、デバイスＩＤの値が４であるユーザ管理データに、コントローラ１８ａのコントローラＩＤの値が一旦設定される。そしてデバイスＩＤの値が４であるユーザ管理データに含まれる発光色データ及び発光パターンデータに基づく発光制御が実行される。
【０１６１】
その後、コントローラ１８ａを操作するユーザのユーザＩＤの値が送信されたとする。この場合は、エンタテインメント装置１２は、送信されたユーザＩＤの値を含むユーザ管理データがあるか否かを確認する。
【０１６２】
送信されたユーザＩＤの値を含むユーザ管理データがあることが確認された場合は、当該ユーザ管理データに、当該コントローラＩＤの値が設定される。すなわち、送信されたユーザＩＤが図３０に示すＭｉｋｅである場合は、デバイスＩＤの値が１であるユーザ管理データには、コントローラ１８ａのコントローラＩＤの値が設定される。また、一旦設定されたコントローラＩＤの値が消去される。ここではデバイスＩＤの値が４であるユーザ管理データのコントローラＩＤの値が消去される。そしてデバイスＩＤの値が１であるユーザ管理データに含まれる発光色データ及び発光パターンデータに基づく発光制御が実行される。
【０１６３】
一方、送信されたユーザＩＤの値を含むユーザ管理データがないことが確認された場合は、上述のようにして、一旦コントローラＩＤの値が設定されたユーザ管理データに、送信されたユーザＩＤの値が設定される。ここでは例えば、デバイスＩＤの値が４であるユーザ管理データに、当該ユーザＩＤの値が設定される。
【０１６４】
本実施形態に係るエンタテインメント装置１２で実行されるアプリケーションプログラムが、コントローラＩＤの値を参照することなく、各種の処理を実行してもよい。
【０１６５】
また、例えばコントローラ１８の記憶部３２に、上述のユーザ管理データに含まれる、デバイスＩＤ、発光色データ、及び、発光パターンデータに相当するデータが記憶されていてもよい。
【０１６６】
そしてコントローラ１８によるエンタテインメント装置１２への接続要求の送信に応じて、エンタテインメント装置１２が、当該コントローラ１８に設定されたデバイスＩＤを当該コントローラ１８に送信してもよい。そして、コントローラ１８が、当該デバイスＩＤに関連付けられている発光色データ及び発光パターンデータに基づいて、以上で説明したような発光制御を実行してもよい。
【０１６７】
なお、本発明は上述の実施形態に限定されるものではない。
【０１６８】
例えばコントローラ１８に含まれるタッチセンサ４２及び発光部４０の機能が、タッチパネルによって実装されてもよい。この場合、発光領域４８内の特定発光領域８０以外の領域については、コントローラ１８のデバイスＩＤに応じた色とは異なる色で発光するよう制御されてもよい。例えば発光領域４８内の特定発光領域８０以外の領域については白色で発光するよう制御されてもよい。
【０１６９】
また、部分発光領域５２の位置、形状、又は、大きさは上述のものに限定されない。例えば、図１０に示す発光領域４８が、タッチセンサ４２の前（図１０における上）に配置されていてもよい。また例えば、図１４に示す第１発光領域４８ａが、タッチセンサ４２の前（図１４における上）に配置され、第２発光領域４８ｂが、タッチセンサ４２の後ろ（図１４における下）に配置されていてもよい。
【０１７０】
また例えば、コントローラ１８の上面の右側に設けられたボタンや、左側に設けられた方向キーが発光するようにしてもよい。この場合は、発光領域４８は、ボタンが配置されている領域や方向キーが配置されている領域であることとなる。
【０１７１】
また、発光領域４８がコントローラ１８の上面に設定されている必要はない。例えば発光領域４８の一部又は全部がコントローラ１８の前面に設定されていてもよい。
【０１７２】
また、上記の具体的な文字列や数値及び図面中の具体的な文字列や数値は例示であり、これらの文字列や数値には限定されない。
【図１】
2020116345.tif 000003
【図２Ａ】
2020116345.tif 000004
【図２Ｂ】
2020116345.tif 000005
【図３】
2020116345.tif 000006
【図４】
2020116345.tif 000007
【図５Ａ】
2020116345.tif 000008
【図５Ｂ】
2020116345.tif 000009
【図６】
2020116345.tif 000010
【図７】
2020116345.tif 000011
【図８】
2020116345.tif 000012
【図９】
2020116345.tif 000013
【図１０】
2020116345.tif 000014
【図１１】
2020116345.tif 000015
【図１２】
2020116345.tif 000016
【図１３】
2020116345.tif 000017
【図１４】
2020116345.tif 000018
【図１５】
2020116345.tif 000019
【図１６】
2020116345.tif 000020
【図１７】
2020116345.tif 000021
【図１８】
2020116345.tif 000022
【図１９】
2020116345.tif 000023
【図２０】
2020116345.tif 000024
【図２１】
2020116345.tif 000025
【図２２】
2020116345.tif 000026
【図２３】
2020116345.tif 000027
【図２４】
2020116345.tif 000028
【図２５】
2020116345.tif 000029
【図２６】
2020116345.tif 000030
【図２７】
2020116345.tif 000031
【図２８】
2020116345.tif 000032
【図２９】
2020116345.tif 000033
【図３０】
2020116345.tif 000034
【手続補正書】
【提出日】令和3年6月2日(2021.6.2)
【手続補正１】
【補正対象書類名】特許請求の範囲
【補正対象項目名】全文
【補正方法】変更
【補正の内容】
【特許請求の範囲】
【請求項１】
操作デバイスに対応付けられる識別情報を特定する識別情報特定部と、
操作デバイスに設定された発光領域のうちの、前記識別情報に応じた一部である特定発光領域を特定する特定発光領域特定部と、
前記識別情報に応じた色及び前記特定発光領域が認識可能となるよう前記発光領域の少なくとも一部を発光させる発光制御部と、を含み、
前記発光領域は、第１発光領域と第２発光領域とを含み、
前記特定発光領域特定部は、前記第１発光領域のうちの、前記識別情報に応じた一部である前記特定発光領域を特定し、
前記発光制御部は、前記特定発光領域が認識可能となるよう前記第１発光領域の少なくとも一部を発光させ、
前記発光制御部は、前記識別情報に応じた色で前記第２発光領域の少なくとも一部を発光させる、
ことを特徴とする発光制御装置。
【請求項２】
前記第１発光領域は、複数の部分発光領域を含み、
前記発光制御部は、前記特定発光領域に対応付けられる少なくとも１つの前記部分発光領域を発光させる、
ことを特徴とする請求項１に記載の発光制御装置。
【請求項３】
前記識別情報ごとに、当該識別情報に対応した発光色を特定する色特定部、をさらに含む、
ことを特徴とする請求項１又は２に記載の発光制御装置。
【請求項４】
前記識別情報ごとに、当該識別情報に対応した発光パターンを特定する発光表現特定部、をさらに含む、
ことを特徴とする請求項１から３のいずれか一項に記載の発光制御装置。
【請求項５】
前記第１発光領域は、複数の部分発光領域を含み、
前記発光表現特定部は、どの前記部分発光領域を発光させるかを特定する、
ことを特徴とする請求項４に記載の発光制御装置。
【請求項６】
前記発光制御部は、前記特定発光領域が認識可能となるよう前記識別情報によらない共通の色で前記第１発光領域の少なくとも一部を発光させる、
ことを特徴とする請求項１から５のいずれか一項に記載の発光制御装置。
【請求項７】
前記特定発光領域特定部は、前記識別情報に応じた長さの前記特定発光領域を特定する、
ことを特徴とする請求項１から６のいずれか一項に記載の発光制御装置。
【請求項８】
前記特定発光領域特定部は、前記識別情報に応じた面積の前記特定発光領域を特定する、
ことを特徴とする請求項１から７のいずれか一項に記載の発光制御装置。
【請求項９】
前記特定発光領域特定部は、前記発光制御装置に接続された前記操作デバイスの数に応じた面積の前記特定発光領域を特定する、
ことを特徴とする請求項１から８のいずれか一項に記載の発光制御装置。
【請求項１０】
前記発光制御部に、前記発光領域の全部を１つの色で発光させるか、前記発光領域のうちの一部である前記特定発光領域と当該特定発光領域以外の領域とを識別可能に前記発光領域の少なくとも一部を発光させるか、を変更する設定変更部、をさらに含む、
ことを特徴とする請求項１から９のいずれか一項に記載の発光制御装置。
【請求項１１】
前記操作デバイスを操作するユーザに関する情報、及び、前記操作デバイスの発光が表現された情報が配置された画面を表示部に表示させる表示制御部、をさらに含む、
ことを特徴とする請求項１から１０のいずれか一項に記載の発光制御装置。
【請求項１２】
前記識別情報は、色を示す情報、又は、番号である、
ことを特徴とする請求項１から１１のいずれか一項に記載の発光制御装置。
【請求項１３】
前記第１発光領域と前記第２発光領域は、同じ面に備えられている、
ことを特徴とする請求項１から１２のいずれか一項に記載の発光制御装置。
【請求項１４】
前記発光領域が備えられている面と同じ面に操作子が設けられている、
ことを特徴とする請求項１から１３のいずれか一項に記載の発光制御装置。
【請求項１５】
前記発光制御部によって発光するよう制御される前記第２発光領域の少なくとも一部の面積は、前記発光制御部によって発光するよう制御される前記第１発光領域の少なくとも一部の面積よりも広い、
ことを特徴とする請求項１から１４のいずれか一項に記載の発光制御装置。
【請求項１６】
操作デバイスに対応付けられる識別情報を特定する識別情報特定ステップと、
前記操作デバイスに設定された発光領域のうちの、前記識別情報に応じた一部である特定発光領域を特定する特定発光領域特定ステップと、
前記識別情報に応じた色及び前記特定発光領域が認識可能となるよう前記発光領域の少なくとも一部を発光させる発光制御ステップと、を含み、
前記発光領域は、第１発光領域と第２発光領域とを含み、
前記特定発光領域特定ステップでは、前記第１発光領域のうちの、前記識別情報に応じた一部である前記特定発光領域を特定し、
前記発光制御ステップでは、前記特定発光領域が認識可能となるよう前記第１発光領域の少なくとも一部を発光させ、
前記発光制御ステップでは、前記識別情報に応じた色で前記第２発光領域の少なくとも一部を発光させる、
ことを特徴とする発光制御方法。
【請求項１７】
操作デバイスに対応付けられる識別情報を特定する識別情報特定手順、
前記操作デバイスに設定された発光領域のうちの、前記識別情報に応じた一部である特定発光領域を特定する特定発光領域特定手順、
前記識別情報に応じた色及び前記特定発光領域が認識可能となるよう前記発光領域の少なくとも一部を発光させる発光制御手順、をコンピュータに実行させ、
前記発光領域は、第１発光領域と第２発光領域とを含み、
前記特定発光領域特定手順では、前記第１発光領域のうちの、前記識別情報に応じた一部である前記特定発光領域を特定し、
前記発光制御手順では、前記特定発光領域が認識可能となるよう前記第１発光領域の少なくとも一部を発光させ、
前記発光制御手順では、前記識別情報に応じた色で前記第２発光領域の少なくとも一部を発光させる、
ことを特徴とするプログラム。
【国際調査報告】
2020116345.tif 000035
2020116345.tif 000036
2020116345.tif 000037
2020116345.tif 000038